【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
楔開き骨切り術部位を支持するための骨切り術用移植片であり、
前記楔開き骨切り部の後方部分に配置するための第一の構成要素と、
前記楔開き骨切り部の前方部分に配置するための第二の構成要素と、
前記第一の構成要素と第二の構成要素とを相互に選択的に結合するための結合装置とを含んでいる移植片。
【請求項２】
請求項１に記載の骨切り術用移植片であり、
前記結合装置が、相互に正反対の第一の側部と第二の側部とを有している基部要素を含んでおり、前記第一の側部は前記第一の要素に選択的に取り付けられる構造とされており、前記第二の側部は、前記第二の要素に選択的に取り付けられる構造とされている移植片。
【請求項３】
請求項２に記載の骨切り術用移植片であり、
前記基部要素は、多部分からなる移植片を脛骨に係留するためにその中を貫通する固定装置の配置を可能にするために、固定穴が内部に形成されている移植片。
【請求項４】
請求項１に記載の骨切り術用移植片であり、
前記結合装置が、前記第一の構成要素と前記第二の構成要素との間に穴が開けられた嵌合部材を含んでいる移植片。
【請求項５】
楔開き骨切り術部位を支持するための多部分からなる骨切り術用移植片であり、
前記楔開き骨切り部の後方部分内に配置するための第一の要素と、
前記楔開き骨切り部の前方部分内に配置するための第二の要素と、
前記楔開き骨切り部の内側中間部分内に配置するための第三の要素と、
前記第一の構成要素を前記第三の構成要素に選択的に結合するための第一の結合機構と、
前記第二の構成要素を前記第三の構成要素に選択的に結合するための第二の結合機構とを含んでいる移植片。
【請求項６】
請求項５に記載の骨切り術用移植片であり、
前記第一の結合機構が第一の構成要素と第三の構成要素との間に形成された第一の穴が開いた嵌合部材を含んでおり、前記第二の結合機構が、前記第二の構成要素と第三の構成要素との間に形成された第二の穴が開けられた嵌合部材を含んでいる移植片。
【請求項７】
請求項６に記載の骨切り術用移植片であり、
前記第一の穴が開いた嵌合部材が、第一の雄型突出部と、相対的に取り付けられる形状とされた第一の雌型凹部とを含んでおり、更に前記第一の雄型突出部が、前記第一の構成要素と第三の構成要素とのうちの一つから延びており、前記第一の雌型凹部が、前記第一の構成要素と前記第三の構成要素とのうちの他の一つに構成されている移植片。
【請求項８】
請求項７に記載の骨切り術用移植片であり、
前記第一の雄型突出部が前記第三の構成要素から延びており、前記第一の雌型凹部が前記第一の構成要素内に形成されている移植片。
【請求項９】
請求項６に記載の多部分からなる骨切り術用移植片であり、
前記第二の穴が開けられた嵌合部材が、第二の雄型突出部と互いに取り付けられる構造とされた第二の雌型凹部とを含み、更に、前記第二の雄型突出部が、前記第二の構成要素と第三の構成要素とのうちの一つから延びており、前記第二の雌型凹部が、前記第二の構成要素と前記第三の構成要素とのうちの他の一つに構成されている移植片。
【請求項１０】
請求項９に記載の多部分からなる骨切り術用移植片であり、
前記第二の雄型突出部が前記第三の構成要素から延びており、前記第二の雌型凹部が前記第二の構成要素に形成されている移植片。
【請求項１１】
請求項５に記載の多部分からなる骨切り術用移植片であり、
前記第一の構成要素、第二の構成要素及び第三の構成要素が互いに結合されたときに、それらの間に空間を形成し、当該空間は、楔開き骨切り部の中心領域にほぼ対応している移植片。
【請求項１２】
請求項１１に記載の多部分からなる骨切り術用移植片であり、
前記第一の構成要素、第二の構成要素及び第三の構成要素が、前記空間内に移植材料の配置を可能にする形状とされている移植片。
【請求項１３】
請求項１２に記載の多部分からなる骨切り術用移植片であり、
前記第一の構成要素、第二の構成要素及び第三の構成要素が、前記空間内に移植材料の圧縮を可能にする構造とされている移植片。
【請求項１４】
請求項５に記載の多部分からなる骨切り術用移植片であり、
前記第一の構成要素が、第一の組の寸法を有する第一の壁を含んでおり、前記第二の構成要素が、第二の組の寸法を有する第二の壁を含んでおり、更に、前記第一の構成要素の第一の組の寸法と前記第二の構成要素の第二の組の寸法とが、ＡＰ斜面の正確な配置を可能にするために互いに異なっている移植片。
【請求項１５】
請求項５に記載の多部分からなる骨切り術用移植片であり、
前記第一の構成要素が第一の面と第二の面とを有しており、前記第一の面は前記骨切り術用空間の口部に配置される形状とされており、前記第二の面は、前記楔開き骨切り部の骨面に隣接して配置される構造とされており、更に、前記第一の構成要素は、前記第一の面から第二の面まで前記第一の通路を介する材料の注入を可能にするために前記第一の面と前記第二の面との間に第一の通路を形成しており且つ前記第一の構成要素と骨との間に形成された骨／移植片境界部に材料を付与するようになされている移植片。
【請求項１６】
請求項１５に記載の多部分からなる骨切り術用移植片であり、
前記第一の構成要素が、前記第一の面に前記第一の通路への第一の注入口を形成しており、更に、当該第一の注入口は、前記第一の構成要素の前記骨に隣接する配置に続いて外科医がアクセスできる構造とされている移植片。
【請求項１７】
請求項１６に記載の骨切り術用移植片であり、
前記第一の構成要素が前記第二の面に多数の出口を形成している移植片。
【請求項１８】
請求項１５に記載の多部分からなる骨切り術用移植片であり、
前記選択された材料が、生体適合性接着剤、骨セメント、生理学的材料、成長因子及び移植材料からなる群から選択された少なくとも１つを含んでいる移植片。
【請求項１９】
請求項１５に記載の多部分からなる骨切り術用移植片であり、
前記第二の構成要素が第三の面と第四の面とを備えており、前記第三の面は、前記骨切り術用空間を配置する構造とされており、前記第四の面は、前記楔開き骨切り部の骨面に隣接させて配置するための構造とされており、更に、前記第二の構成要素は、前記第三の面から前記第四の面までの前記第二の通路を介する材料の注入を可能にするために前記第三の面と前記第四の面との間に第二の通路を形成しており且つ前記第二の構成要素と前記骨との間に形成された骨／移植片境界部へ材料を供給するようになされている移植片。
【請求項２０】
請求項１６に記載の多部分からなる骨切り術用移植片であり、
前記第二の構成要素が、前記第三の面に前記第二の通路への第二の注入口を形成しており、更に、当該第二の注入口は、前記第二の構成要素の前記骨に隣接する配置に続いて外科医がアクセスできる構造とされている移植片。
【請求項２１】
請求項２０に記載の多部分からなる骨切り術用移植片であり、
前記第二の構成要素が前記第四の面に多数の出口を形成している移植片。
【請求項２２】
請求項１９に記載の多部分からなる骨切り術用移植片であり、
前記第二の通路が、骨接着剤、セメント、生理学的材料及び移植材料からなる群から選択された一つの注入を可能にする構造とされている移植片。
【請求項２３】
請求項５に記載の骨切り術用移植片であり、
前記第一の構成要素が骨内への第一の再吸収速度を有し、前記第二の構成要素が骨内への第二の再吸収速度を有し、前記第三の構成要素が骨内への第三の再吸収速度を有し、前記第一の再吸収速度と前記第二の再吸収速度とが互いにほぼ同じであり、前記第三の再吸収速度が前記第一の再吸収速度及び前記第二の再吸収速度とは実質的に異なっている移植片。
【請求項２４】
請求項２３に記載の多部分からなる骨切り術用移植片であり、
前記第三の構成要素が、前記第一の構成要素及び前記第二の構成要素とは、相互に異なる生体材料組成、相互に異なる生体複合材組成及び相互に異なる配合からなる群から選択された少なくとも１つが異なっている移植片。
【請求項２５】
請求項５に記載の多部分からなる骨切り術用移植片であり、
前記第三の構成要素が、前記多部分からなる移植片を脛骨に固定するためにその中に第一の固定装置を配置することができるように、第一の固定穴を形成している移植片。
【請求項２６】
請求項２５に記載の多部分からなる骨切り術用移植片であり、
前記第三の構成要素が、前記多部分からなる移植片を脛骨に固定するためにその中に第二の固定装置を配置することができるように、第二の固定穴を形成している移植片。
【請求項２７】
請求項２６に記載の多部分からなる骨切り術用移植片であり、
前記第一の固定穴が前記第三の構成要素上に入口部分及び出口部分を有しており、前記第一の固定穴が、前記第三の構成要素の前記入口部分から出口部分まで第一の長手軸線を規定しており、前記第二の固定穴が前記第三の構成要素上に入口部分と出口部分とを有し、前記第二の固定穴が、前記第三の構成要素の前記入口部分から出口部分まで第二の長手軸線を規定しており、前記第一の長手軸線と前記第二の長手軸線とは、前記第一の固定装置を脛骨の第一の部分内へ導き且つ前記第二の固定装置を脛骨の第二の部分内へ導くために互いに非平行であり、前記脛骨の前記第一の部分と脛骨の第二の部分とは、前記第三の構成要素の両側に設けられている移植片。
【請求項２８】
請求項５に記載の多部分からなる骨切り術用移植片であり、
前記第一の構成要素、第二の構成要素及び第三の構成要素は、各々、前記楔開き骨切り術の骨の切り込み内にある間、相互に組み立てられる構造とされている移植片。
【請求項２９】
請求項５に記載の多部分からなる骨切り術用移植片であり、
前記第一の構成要素、第二の構成要素、及び第三の構成要素は、各々、前記楔開き骨切り術の骨の切り込みの外側にある間、相互に組み立てられる構造とされている移植片。
【請求項３０】
請求項５に記載の多部分からなる骨切り術用移植片であり、
前記第一の構成要素、第二の構成要素及び第三の構成要素が、前記楔開き骨切り術の骨の切り込みを、その前面からその後面まで支持する構造とされている移植片。
【請求項３１】
脛骨内に楔開き骨切り術を行うための位置決めガイドであり、
当該位置決めガイドの一部分を脛骨の継ぎ目と整合させるためのアライメント要素と、当該位置決めガイドを脛骨に固定するための固定要素と、当該位置決めガイドを切削ガイドに結合するための結合要素とを含んでいる位置決めガイド。
【請求項３２】
請求項３１に記載の位置決めガイドであり、
前記アライメント構成要素が、前記脛骨の継ぎ目と整合する形状とされた頂面を有している位置決めガイド。
【請求項３３】
請求項３１に記載の位置決めガイドであり、
前記位置決めガイドが一対の固定穴を形成しており、前記固定要素は、当該位置決めガイドを前記脛骨に固定するために、前記固定穴の対内に配置される構造とされている一対の固定ねじを含んでいる位置決めガイド。
【請求項３４】
請求項３１に記載の位置決めガイドであり、
前記結合要素が、前記位置決めガイドとねじ結合する結合ねじを含んでいる位置決めガイド。
【請求項３５】
脛骨内に楔開き骨切り術を行うための切削ガイドであり、
当該切削ガイドを脛骨に選択的に取り付けるためのガイド取り付け要素を含み、骨の切り込みを形成するために、切削ブレードを脛骨内へ導く構造とされた角度が付けられた切削穴を形成している切削ガイド。
【請求項３６】
請求項３５に記載の切削ガイドであり、
内部を貫通している通路を形成しており、前記ガイド取り付け要素が、前記当該切削ガイドを脛骨に係留するために前記通路内に選択的に配置される結合ねじを含んでいる切削ガイド。
【請求項３７】
請求項３６に記載の切削ガイドであり、
前記ガイド取り付け要素が、前記結合ねじを脛骨に直接選択的に係留する構造とされている切削ガイド。
【請求項３８】
請求項３６に記載の切削ガイドであり、
前記ガイド取り付け要素が、脛骨への取り付けにおいて、前記結合ねじを位置決めガイドに選択的に係留する構造とされている切削ガイド。
【請求項３９】
請求項３５に記載の切削ガイドであり、
前記角度が付けられた穴が脛骨の継ぎ目にほぼ平行である切削ガイド。
【請求項４０】
請求項３５に記載の切削ガイドであり、
前記角度が付けられた切削穴が、脛骨の継ぎ目に対して所定の角度で骨の切り込みを形成するために、脛骨の継ぎ目に対して前記所定の角度で配置されている切削ガイド。
【請求項４１】
楔開き骨切り術を行うための前方保護部材及び後方保護部材であって、
各々が、第一の端部と、第二の端部と、当該第一の端部と第二の端部との間の所定の長さとを有し、前記第一の端部は、脛骨に係留する構造とされた結合部材部分を有し、前記前方保護部材と前記後方保護部材とは、各々、脛骨の前面及び後面に緊密に類似するための外形形状を有し、前記前方保護部材の前記第二の端部と前記後方保護部材の前記第二の端部とは、各々、前記前面及び後面に向かって内側面から脛骨の周囲に挿入され、前記前方保護部材の前記第一の端部と前記後方保護部材の第一の端部とは、各々、前記脛骨に係留されている、前方保護部材及び後方保護部材。
【請求項４２】
請求項４１に記載の前方保護部材及び後方保護部材であり、
前記前方保護部材の結合部材部分と前記後方保護部材の前記結合部材部分とは、当該前方保護部材及び前記後方保護部材を脛骨に係留するために、脛骨に取り付ける際に切削ガイドに選択的に取り付ける構造とされている前方保護部材及び後方保護部材。
【請求項４３】
請求項４１に記載の前方保護部材及び後方保護部材であり、
前記前方保護部材の結合部材部分と前記後方保護部材の結合部材部分とが、当該前方保護部材及び後方保護部材を脛骨に係留するために、固定ねじを使用して脛骨に直接選択的に取り付ける構造とされている前方保護部材及び後方保護部材。
【請求項４４】
脛骨内に楔開き骨切り術を行うための機械的ジャックであり、
脛骨に当該ジャックを選択的に取り付けるためのジャック取り付け要素を含んでおり且つ互いに正反対の第一の端部と第二の端部とを備えた一対のプレートを備えており、当該一対のプレートの第一の端部は、互いにほぼ一緒に維持される構造とされ且つ脛骨内の骨の切り込み内に配置される構造とされており、前記プレートの対の前記第二の端部は、（ｉ）前記プレートの対の前記第二の端部が互いにほぼ一緒である第一の位置から、（ｉｉ）前記プレートの対の前記第二の端部が前記骨の切り込みにおいて脛骨を逸らすために互いに離れている第二の位置まで、選択的に位置決めできる構造とされている機械的ジャック。
【請求項４５】
請求項４４に記載の機械的ジャックであり、
前記ジャック取り付け要素が、取り付けねじが、脛骨への取り付け中に位置決めガイドとねじ係合可能なように貫通するのを可能にする構造とされた貫通穴を形成しているハウジング部分を含んでいる機械的ジャック。
【請求項４６】
請求項４４に記載の機械的ジャックであり、
互いにほぼ直角に配置されている第一の部分と第二の部分とを有しているウォームギヤを有し、前記プレートの対の前記第一の端部から当該プレートの対の前記第二の端部までの線が、プレートの長手軸線を規定しており、前記第一の部分が前記長手軸線にほぼ直角な第一の向きに配置されて、前記プレートを前記第一の位置と前記第二の位置との間で駆動するようになされており、前記第二の位置は、前記プレートの長手軸線にほぼ平行な角度でのドライバ工具の係合を可能にするために、前記プレートの長手軸線にほぼ平行な第二の向きに配置されている機械的ジャック。
【請求項４７】
脛骨内で楔開き骨切り術を行うための装置であり、
脛骨の継ぎ目と整合させるためのアライメント要素と、位置決めガイドであり、当該位置決めガイドの一部分を当該位置決めガイドを脛骨に固定するための固定要素とを備えている位置決めガイドと、
切削ガイドであって、当該切削ガイドを前記位置決めガイドに選択的に取り付けるためのガイド取り付け要素を有し、脛骨内に骨の切り込みを形成するために切削ブレードを脛骨内へ導く構造とされた角度が付けられた切削穴を形成する切削ガイドと、
機械的ジャックであり、当該ジャックを選択的前記位置決めガイドに選択的に取り付けるためのジャック取り付け要素を有しており、互いに正反対の第一の端部と第二の端部とを有する一対のプレートを備えており、前記プレートの対の前記第一の端部は、互いにほぼ一緒に保持される構造とされており且つ頸骨内の骨の切り込み内に配置できる構造とされており、前記プレートの対の前記第二の端部は、（ｉ）前記プレートの対の前記第二の端部が互いにほぼ一緒に位置する第一の位置から、（ｉｉ）前記プレートの対の前記第二の端部が前記骨の切り込み位置において脛骨を逸らすために相対的に離れる第二の位置まで選択的に位置決めする構造とされている前記機械的ジャックと、
脛骨内で楔開き骨切り術部位を支持するための多部分からなる移植片であって、前記楔開き骨切り部の後方部分内に配置するための第一の要素と、前記楔開き骨切り部の前方部分内に配置するための第二の要素と、前記第一の要素と前記第二の要素とを互いに選択的に係合させるための結合装置とを含んでいる前記多部分からなる移植片とを含んでいる装置。
【請求項４８】
請求項４７に記載の装置であり、
前記多部分からなる移植片が、内部に固定穴を形成しており、更に、前記多部分からなる移植片内の前記固定穴を介して配置する構造とされ且つ前記多部分からなる移植片を脛骨に係留するために脛骨内に配置する構造とされた固定装置を含んでいる装置。
【請求項４９】
請求項４７に記載の装置であり、
前記多部分からなる移植片の前記結合装置が、前記第一の要素と前記第二の要素との間に形成された穴が開けられた嵌合部材を含んでいる装置。
【請求項５０】
請求項４７に記載の装置であり、
前記多部分からなる移植片の前記結合装置が、前記第一の部分と前記第二の部分との間に配置するための基部を含んでおり、当該基部は、互いに正反対の第一の側部と第二の側部とを有しており、前記基部は、第一の要素と第二の要素とを前記基部に対して相互に選択的に結合するために、前記第一の要素と第二の要素とを前記基部の前記第一の側部と第二の側部とに各々選択的に結合する構造とされている装置。
【請求項５１】
楔開き骨切り術部位を支持するための骨切り術用移植片であり、
第一の高さと第一の幅とを有し、前記第一の高さが、楔開き骨切り部の末端部分内に配置する構造とされている先端縁と、
前記先端縁と正反対の基部であり、第二の高さと第二の幅とを有し、前記第二の高さは、前記楔開き骨切り部の基端にほぼ類似した構造とされている前記基部と、
前記先端縁を前記基部に結合している２つの対向する側部壁であり、前記先端縁から前記基部までの距離に等しい第一の長さを有し且つ前記先端縁の第一の高さから前記基部の第二の高さまで傾斜した高さを有している前記２つの対向側壁とを含んでいる骨切り術用移植片。
【請求項５２】
請求項５１の記載の骨切り術用移植片であり、
前記第二の対向側壁間に延び且つ前記基部から前記先端縁まで延びている床部分を更に含み、当該床部分は第三の高さを有し、前記基部の第一の高さは、前記２つの対向する側壁間に開口部分を形成するために、前記床部分の第三の高さよりも高くされている移植片。      
【請求項５３】
請求項５１の記載の骨切り術用移植片であり、
前記基部が、その中に材料を挿入するために少なくとも１つの貫通穴を形成している移植片。      
【請求項５４】
請求項５３の記載の骨切り術用移植片であり、
前記材料が、同種移植骨、自己移植骨、脱塩代用骨、骨移植片材料及び骨セメントからなる群から選択された少なくとも一つである移植片。
【請求項５５】
請求項５１の記載の骨切り術用移植片であり、
前記２つの対向側壁が実質的に互いに平行である移植片。  
【請求項５６】
請求項５１の記載の骨切り術用移植片であり、
前記２つの対向側壁の骨境界面から延びている一連の突出部を更に含み、前記突出部が、前記対向側壁の前記楔開き骨切り部内への挿入を可能にし且つ前記楔開き骨切り部からの前記対向側壁の移動を阻止する構造とされている移植片。     
【請求項５７】
請求項５１の記載の骨切り術用移植片であり、
前記２つの対向側壁が、その中に選択された材料を給送するための通路を規定している移植片。    
【請求項５８】
請求項５７の記載の骨切り術用移植片であり、
長さ及び直径を有している管を含んでいる給送装置を更に含んでおり、前記管は、その長さに沿って一連の開口を形成しており、前記直径は、前記通路の主要部分内に配置される構造とされており、前記一連の開口が、前記通路の一連の分岐部分に対応する構造とされている移植片。      
【請求項５９】
請求項５１の記載の骨切り術用移植片であり、
前記２つの対向する側壁が、その中に選択された材料の給送を可能にするために、骨境界面上に通路用開口を規定している移植片。
【請求項６０】
請求項５９の記載の骨切り術用移植片であり、
前記選択された材料が、生体適合性接着剤、骨セメント、成長因子及び移植材料からなる群から選択された少なくとも一つを含んでいる移植片。
【請求項６１】
楔開き骨切り術部位を支持するための骨切り術用移植片であり、
第一の高さと、第一の端部及び第二の端部と、前記第一の端部と第二の端部との間の幅とを有し、前記第一の高さが前記楔開き骨切り部の基端にほぼ近い構造とされている基部と、
前記第一の端部及び第二の端部が各々延びている２つの対向する側壁であって、第三の端部と第四の端部とを有し、前記第三の端部は前記基部から延びており、前記第三の端部において前記基部の第一の高さに等しい第二の高さを有し、前記第三の高さは、前記２つの対向する側壁の各々の前記第四の端部の前記楔開き骨切り部の末端部分への配置を可能にするために、前記第二の高さよりも低くなされている前記２つの対向する側壁とを含んでいる移植片。
【請求項６２】
請求項６１に記載の骨切り術用移植片であり、
前記２つの側壁が互いにほぼ平行である移植片。
【請求項６３】
請求項６１に記載の骨切り術用移植片であり、
前記２つの対向する側壁が、各々、前記対向する側壁の各々の前記第三の端部と第四の端部との間の領域において相対的に近づいている移植片。
【請求項６４】
請求項６１に記載の骨切り術用移植片であり、
前記基部が、その中に材料を挿入するために少なくとも１つの貫通穴を形成している移植片。
【請求項６５】
請求項６１に記載の骨切り術用移植片であり、
前記材料が、同種移植骨、自己移植骨、脱塩代用骨、骨移植片材料及び骨セメントからなる群から選択された少なくとも一つである移植片。
【請求項６６】
請求項６１に記載の骨切り術用移植片であり、
各々、前記側壁の各々の前記第三の端部と第四の端部との間の位置から、前記２つの対向する側壁間に延びている結合部材を更に含んでいる移植片。
【請求項６７】
請求項６１に記載の骨切り術用移植片であり、
前記２つの側壁が選択的に相対的に分離可能である移植片。
【請求項６８】
請求項６７に記載の骨切り術用移植片であり、
前記基部が前記２つの側壁から選択的に分離可能である移植片。
【請求項６９】
請求項６８に記載の骨切り術用移植片であり、
前記選択された材料が、生体適合性接着剤、骨セメント、成長因子及び移植材料からなる群から選択された少なくとも一つを含んでいる移植片。
【請求項７０】
請求項６７に記載の骨切り術用移植片であり、
前記２つの対向する側壁の境界面から延びている一連の突出部を更に含んでおり、当該突出部は、前記楔開き骨切り部から対向する側壁内への前記対向する側壁の挿入を可能にする構造とされている移植片。
【請求項７１】
請求項６１に記載の骨切り術用移植片であり、
前記２つの対向する側壁が、その中を選択された材料を給送するための通路を規定している移植片。
【請求項７２】
請求項７１に記載の骨切り術用移植片であり、
前記選択された材料が、生体適合性接着剤、骨セメント、成長因子及び移植材料からなる群から選択された少なくとも一つを含んでいる移植片。
【請求項７３】
請求項７１に記載の骨切り術用移植片であり、
長さと直径とを有している管を含んでいる給送装置であって、前記管は、その長さに沿って一連の穴を形成しており、前記直径は、前記通路の主要部分内に配置される構造とされており、前記一連の穴が前記通路の一連の分岐部分に対応する構造とされている前記給送装置を更に含んでいる移植片。
【請求項７４】
請求項６１に記載の骨切り術用移植片であり、
前記２つの対向する側壁が、選択された材料がその中を給送されるのを可能にするために、骨境界面上に通路を規定している移植片。
【請求項７５】
請求項７４に記載の骨切り術用移植片であり、
前記選択された材料が、生体適合性接着剤、骨セメント、成長因子及び移植材料からなる群から選択された少なくとも一つを含んでいる移植片。
【請求項７６】
楔開き骨切り術部位を支持するための骨切り術用移植片であり、
２つの対向する側壁であって、互いに正反対の第一の端部及び第二の端部と、各々の側壁の前記第一の端部と第二の端部との間に延びている一対のフレーム部材と、当該２つの側壁の各々の前記一対のフレーム部材間に配置された拡張可能な材料とを有し、前記フレーム部材の対が前記第一の端部において互いに結合されており、前記フレーム部材の対は、その第二の端部において選択された高さまで選択的に相対的に分離可能であるようになされた前記２つの対向する側壁と、
所定の高さ及び幅を有し、前記所定の高さは、前記２つの対向する側壁の各々のフレーム部材の対の選択された高さとほぼ等しく、前記所定の幅は、楔開き骨切り部内に配置されたときに前記２つの対向する側壁間の距離にほぼ等しいようになされた基部部材と、
前記基部部材を前記２つの対向する側壁の各々に結合するための一組の結合部材とを含む移植片。
【請求項７７】
請求項７６に記載の骨切り術用移植片であり、
前記基部部材が、当該基部部材を前記２つの対向する側壁の各々に結合するために、その中に一組の結合部材を配置するための通路を規定している移植片。
【請求項７８】
請求項７６に記載の骨切り術用移植片であり、
前記基部と前記２つの対向する側壁とからなる群から選択された少なくとも一つがその中を貫通して穴を規定しており、当該穴は、前記２つの側壁部分間の前記楔開き骨切り部内に選択された材料を挿入できる構造とされている移植片。
【請求項７９】
請求項７８に記載の骨切り術用移植片であり、
前記選択された材料が、生体適合性接着剤、骨セメント、成長因子及び移植材料からなる群から選択された少なくとも一つを含んでいる移植片。
【請求項８０】
請求項７６に記載の骨切り術用移植片であり、
前記２つの対向する側壁の骨境界面から延びている一連の突出部を更に含んでおり、当該一連の突出部は、前記楔開き骨切り部内への前記対向する側壁の挿入を可能にし且つ前記楔開き骨切り部からの前記２つの対向する側壁の移動を阻止する構造とされている移植片。
【請求項８１】
請求項７６に記載の骨切り術用移植片であり、
第二の端部において、前記２つの対向する側壁の各々を開くための開口楔プレートを更に含んでおり、当該開口楔プレートは、前記２つの対向する側壁の各々のフレーム部材の対の各々に取り付ける構造とされた４つの取り付け点と、ジャック機構へ取り付けるための２つの結合部材とを含んでおり、前記開口楔プレート装置は、前記側壁の各々の前記第二の端部が相対的に拡張されるときに、前記２つの対向する側壁を支持する構造とされている移植片。
【請求項８２】
楔開き骨切り術部位を支持するための多部分からなる骨切り術用移植片であり、
前記楔開き骨切り部の後方部分に配置できる構造とされた第一の構成要素と、
前記楔開き骨切り部の前方部分に配置できる構造とされた第二の構成要素とを含み、
前記第一の構成要素と第二の構成要素とは、前記楔開き骨切り部内に配置されたときにＵ字形状の壁を形成するようになされている移植片。
【請求項８３】
請求項８２の記載の多部分からなる骨切り術用移植片であり、
前記第一の構成要素と第二の構成要素とが、互いに接触して前記楔開き骨切り部内で互いに隣接して配置される構造とされている移植片。
【請求項８４】
請求項８３の記載の多部分からなる骨切り術用移植片であり、
前記第一の構成要素と第二の構成要素とが、互いに結合されていない前記楔開き骨切り部内に配置される構造とされている移植片。
【請求項８５】
請求項８２の記載の多部分からなる骨切り術用移植片であり、
前記第一の構成要素と第二の構成要素とが、互いに結合されていない前記楔開き骨切り部内に配置される構造とされている移植片。
【請求項８６】
請求項８２の記載の多部分からなる骨切り術用移植片であり、
前記楔開き骨切り部の内側中間部分に配置される構造とされた第三の構成要素を更に含んでおり、前記第一の構成要素、第二の構成要素及び第三の構成要素が、前記楔開き骨切り部内に配置されたときにＵ字形状の壁を形成するようになされている移植片。
【請求項８７】
請求項８６の記載の多部分からなる骨切り術用移植片であり、
前記第一の構成要素と第二の構成要素とが、互いに隣接するために前記楔開き骨切り部内で相対的に隣接して配置される構造とされており、前記第二の構成要素と第三の構成要素とが、互いに隣接するために前記楔開き骨切り部内で相対的に隣接して配置される構造とされている移植片。
【請求項８８】
請求項８７の記載の多部分からなる骨切り術用移植片であり、
前記第一の構成要素と第二の構成要素とが、互いに直接接触することなく、前記楔開き骨切り部内に配置される構造とされている移植片。
【請求項８９】
楔開き骨切り術部位を支持するための骨切り術用移植片であり、
前記楔開き骨切り部内に配置される構造とされたＵ字形状の壁と、前記壁の凹状側に形成された内側部分と、前記壁の凸状側に形成された外側部分とを含み、
前記Ｕ字形状の壁が、前記外側部分から前記内側部分内へと貫通しているアクセスポートを形成しており、当該アクセスポートは、前記外側部分と内側部分との間を材料が通過するのを可能にするようになされている移植片。
【請求項９０】
請求項８９に記載の骨切り術用移植片であり、
前記アクセスポートが、当該骨切り術用移植片が前記楔開き骨切り部内に配置されたときに、Ｕ字形状の壁の内側中間部分に形成されるようになされている移植片。
【請求項９１】
請求項８９に記載の骨切り術用移植片であり、
前記アクセスポートが、当該骨切り術用移植片が前記楔開き骨切り部内に配置されたときに、Ｕ字形状の壁の後方部分に形成されるようになされている移植片。
【請求項９２】
請求項８９に記載の骨切り術用移植片であり、
前記アクセスポートが、当該骨切り術用移植片が前記楔開き骨切り部内に配置されたときに、Ｕ字形状の壁の前方部分に形成されるようになされている移植片。
【請求項９３】
請求項８９に記載の骨切り術用移植片であり、
前記Ｕ字形状の壁が、前記外側部分から前記内側部分へ貫通している付加的なアクセスポートを形成している移植片。
【請求項９４】
請求項９３に記載の骨切り術用移植片であり、
前記アクセスポートと前記付加的なアクセスポートとのうちの一方が、前記材料が前記他方のアクセスポートを介して注入されるときに、前記材料が前記内側部分から溢れるのを可能にする構造とされている移植片。
【請求項９５】
楔開き骨切り術部位を支持するための多部分からなる骨切り術用移植片であり、
前記楔開き骨切り部の後方部分に配置される構造とされた第一の構成要素と、
前記楔開き骨切り部の前方部分に配置される構造とされた第二の構成要素とを含み、
前記第一の構成要素が第一の材料を含んでおり、前記第二の構成要素が第二の材料を含んでおり、前記第一の材料と前記第二の材料とが互いに異なっている移植片。
【請求項９６】
請求項９５に記載の骨切り術用移植片であり、
前記第一の構成要素と第二の構成要素とが、互いに接触するために、前記楔開き骨切り部内で互いに隣接して配置される構造とされている移植片。
【請求項９７】
請求項９６に記載の骨切り術用移植片であり、
前記第一の構成要素と第二の構成要素とが、前記楔開き骨切り部内に配置されたときにＵ字形状壁を形成するようになされている移植片。
【請求項９８】
請求項９５に記載の骨切り術用移植片であり、
前記楔開き骨切り部の内側中間部分内に配置される構造とされた第三の構成要素を更に含み、当該第三の構成要素は第三の材料を含み、更に、前記第一の構成要素、第二の構成要素及び第三の構成要素は、各々、互いに異なっている移植片。
【請求項９９】
楔開き骨切り術部位を支持するための多部分からなる移植片であり、
前記楔開き骨切り部の後方部分に配置される構造とされた第一の構成要素と、
前記楔開き骨切り部の前方部分に配置される構造とされた第二の構成要素と、
前記楔開き骨切り部の内側中間部分に配置される構造とされた第三の構成要素とを含み、
前記第一の構成要素は第一の材料からなり、前記第二の構成要素は第二の材料からなり、前記第三の構成要素は第三の材料からなり、前記第一の材料、第二の材料及び第三の材料からなる群から選択された一つの材料が、前記第一の材料、第二の材料及び第三の材料からなる群から選択された別の一つの材料と異なっている移植片。
【請求項１００】
請求項９９に記載の多部分からなる移植片であり、
前記第三の材料が前記第一の材料及び第二の材料と異なっている移植片。
【請求項１０１】
請求項９９に記載の多部分からなる移植片であり、
前記第一の材料、第二の材料及び第三の材料のうちの各々が互いに異なっている移植片。